【手続補正書】
【提出日】平成25年3月14日(2013.3.14)
【手続補正１】
【補正対象書類名】特許請求の範囲
【補正対象項目名】全文
【補正方法】変更
【補正の内容】
【特許請求の範囲】
【請求項１】
同一又はほぼ同一コンテンツを持つ複数のウェブページを取得することと、
前記複数のウェブページのそれぞれの第１のランクのウェブページに対応する複数の作成時間及び複数の第１の評価値を、１つ又は２つ以上のコンピュータプロセッサを用いて決定することと、１つ又は２つ以上のコンピュータプロセッサを用いて決定することと、前記複数のウェブページの１つについての対応する作成時間は、前記複数のウェブページの１つのコンテンツが発表された時間、前記複数のウェブページの１つのコンテンツが公開された時間、前記複数のウェブページの１つのコンテンツがクロールされた時間、または前記複数のウェブページの１つのコンテンツによって言及された時間を含み、
前記複数のウェブページのなかから最も早い作成時間を有する最も早いウェブページを特定することと、
前記複数の第１の評価値に少なくとも部分的に基づいて、前記特定された最も早いウェブページの第２の評価値を決定することと、を備え、
前記第２の評価値は、前記複数のウェブページのなかにおける前記特定された最も早いウェブページのCopy Rankを示すために使用される、方法。
【請求項２】
請求項１に記載の方法であって、更に、
前記同一又はほぼ同一コンテンツを持つ複数のウェブページを、それらのそれぞれのデジタルフィンガプリントを比較することによって特定することを備える方法。
【請求項３】
同一又はほぼ同一コンテンツを持つ複数のウェブページを取得することと、
前記複数のウェブページのそれぞれに対応する複数の作成時間及び複数の第１の評価値を、１つ又は２つ以上のコンピュータプロセッサを用いて決定することと、１つ又は２つ以上のコンピュータプロセッサを用いて決定することと、
前記複数のウェブページのなかから最も早い作成時間を有するウェブページを特定することと、
前記複数の第１の評価値にしたがって、前記特定されたウェブページの第２の評価値を決定することと、
前記同一又はほぼ同一コンテンツを持つ複数のウェブページを特定するために、各前記ウェブページのデジタルフィンガプリントを比較することと、を備え、
前記同一又はほぼ同一コンテンツを持つ複数のウェブページを特定することは、
一群のウェブページのなかで最長のコンテンツを持ち、前記それぞれのウェブページのなかで最初の段落でも最後の段落でもない中間の段落を取得すること、又は最初の文でも最後の文でもなく前記一群のウェブページの各ページのなかで最長の文を取得することと、
前記各ウェブページについて取得された中間の段落又は最長の文に基づいて、各ウェブページについてのデジタルフィンガプリントを生成することと、
前記一群のウェブページのなかから前記同一又はほぼ同一コンテンツを持つ複数のウェブページを特定するために、前記各ウェブページのデジタルフィンガプリントを比較することと、
を含む、方法。
【請求項４】
請求項１に記載の方法であって、
前記各ウェブページの作成時間を決定することは、各ウェブページのＵＲＬに含まれる時間にしたがって前記作成時間を決定することを含む、方法。
【請求項５】
請求項１に記載の方法であって、
前記各ウェブページの作成時間を決定することは、各コンテンツタイプのウェブページのなかの時間にしたがって前記作成時間を決定することを含む、方法。
【請求項６】
請求項１に記載の方法であって、
前記各ウェブページの作成時間を決定することは、各ウェブページがクロールされた時間にしたがって前記作成時間を決定することを含む、方法。
【請求項７】
請求項１に記載の方法であって、
前記各ウェブページの作成時間を決定することは、各ウェブページがインデックスに最初に受け入れられた時間にしたがって前記作成時間を決定することを含む、方法。
【請求項８】
請求項１に記載の方法であって、
前記第２の評価値は、前記複数の第１の評価値のどれよりも大きい、方法。
【請求項９】
請求項１に記載の方法であって、
前記第２の評価値は、前記複数の第１の評価値の和と、第１の重み係数との積に、前記特定されたウェブページの第１の評価値と、第２の重み係数との積を加えたものであり、
前記第１の重み係数は前記第２の重み係数よりも大きくなるよう設定される、方法。
【請求項１０】
請求項１に記載の方法であって、
前記複数の第１の評価値の各値は、外部リンクを含むデータにしたがって形成される評価値である、方法。
【請求項１１】
請求項１に記載の方法であって、更に、
クエリをなした後に前記複数のウェブページを取得することと、
前記複数のウェブページのそれぞれについて複数の第２の評価値を決定することと、
前記複数の第２の評価値に少なくとも基づいて前記複数のウェブページをランク付けすることと、
を備える方法。
【請求項１２】
請求項１に記載のシステムであって、更に、
前記特定されたウェブページの複製回数を表示することを備える方法。
【請求項１３】
システムであって、
１つ又は２つ以上のコンピュータプロセッサであって、
同一又はほぼ同一コンテンツを持つ複数のウェブページを取得するように、
前記複数のウェブページのそれぞれの第１のランクのウェブページに対応する複数の作成時間及び複数の第１の評価値を決定するように、
前記複数のウェブページのなかから最も早い作成時間を有する最も早いウェブページを特定するように、
前記複数の第１の評価値に少なくとも部分的に基づいて、前記特定された最も早いウェブページの第２の評価値を決定するように、
構成された１つ又は２つ以上のコンピュータプロセッサと、
前記複数のウェブページの１つについての対応する作成時間は、前記複数のウェブページの１つのコンテンツが発表された時間、前記複数のウェブページの１つのコンテンツが公開された時間、前記複数のウェブページの１つのコンテンツがクロールされた時間、または前記複数のウェブページの１つのコンテンツによって言及された時間を含み、前記第２の評価値は、前記複数のウェブページのなかにおける前記特定された最も早いウェブページのCopy Rankを示すために使用され、
前記１つ又は２つ以上のコンピュータプロセッサに結合され、前記１つ又は２つ以上のプロセッサに命令を提供するように構成された１つ又は２つ以上のメモリと、
を備えるシステム。
【請求項１４】
請求項１３に記載のシステムであって、前記１つ又は２つ以上のコンピュータプロセッサは更に、
前記同一又はほぼ同一コンテンツを持つ複数のウェブページを、それらのそれぞれのデジタルフィンガプリントを比較することによって特定するように構成されている、システム。
【請求項１５】
請求項１３に記載のシステムであって、
前記各ウェブページの作成時間を決定することは、各ウェブページのＵＲＬに含まれる時間にしたがって前記作成時間を決定することを含む、システム。
【請求項１６】
請求項１３に記載のシステムであって、
前記各ウェブページの作成時間を決定することは、各コンテンツタイプのウェブページのなかの時間にしたがって前記作成時間を決定することを含む、システム。
【請求項１７】
請求項１３に記載のシステムであって、
前記各ウェブページの作成時間を決定することは、各ウェブページがクロールされた時間にしたがって前記作成時間を決定することを含む、システム。
【請求項１８】
請求項１３に記載のシステムであって、
前記各ウェブページの作成時間を決定することは、各ウェブページがインデックスに最初に受け入れられた時間にしたがって前記作成時間を決定することを含む、システム。
【請求項１９】
請求項１３に記載のシステムであって、
前記第２の評価値は、前記複数の第１の評価値のどれよりも大きい、システム。
【請求項２０】
請求項１３に記載のシステムであって、
前記第２の評価値は、前記複数の第１の評価値の和と、第１の重み係数との積に、前記特定されたウェブページの第１の評価値と、第２の重み係数との積を加えたものであり、
前記第１の重み係数は前記第２の重み係数よりも大きくなるよう設定される、システム。
【請求項２１】
請求項１３に記載のシステムであって、
前記複数の第１の評価値の各値は、外部リンクを含むデータにしたがって形成される評価値である、システム。
【請求項２２】
請求項１３に記載のシステムであって、
クエリをなした後に前記複数のウェブページを取得することと、
前記複数のウェブページのそれぞれについて複数の第２の評価値を決定することと、
前記複数の第２の評価値に少なくとも基づいて前記複数のウェブページをランク付けすることと、
を備えるシステム。
【請求項２３】
請求項１３に記載のシステムであって、前記１つ又は２つ以上のコンピュータプロセッサは更に、
前記特定されたウェブページの複製回数を表示するように構成されている、システム。
【手続補正２】
【補正対象書類名】明細書
【補正対象項目名】００８８
【補正方法】変更
【補正の内容】
【００８８】
以上の実施形態は、理解を明瞭にする目的で幾らか詳細に説明されてきたが、発明は、提供された詳細に限定されない。発明の実現には、多くの代替的方法がある。開示された実施形態は、例示的であって、限定的ではない。
適用例１：同一又はほぼ同一コンテンツを持つ複数のウェブページを取得することと、
前記複数のウェブページのそれぞれに対応する複数の作成時間及び複数の第１の評価値を決定することと、前記複数のウェブページのなかから最も早い作成時間を有するウェブページを特定することと、前記複数の第１の評価値にしたがって、前記特定されたウェブページの第２の評価値を決定することと、を備える方法。
適用例２：適用例１に記載の方法であって、前記第２の評価値は、前記複数のウェブページのなかにおける前記特定されたウェブページのランク付けを示すために使用される、方法。
適用例３：適用例１に記載の方法であって、更に、前記同一又はほぼ同一コンテンツを持つ複数のウェブページを、それらのそれぞれのデジタルフィンガプリントを比較することによって特定することを備える方法。
適用例４：適用例３に記載の方法であって、前記同一又はほぼ同一コンテンツを持つ複数のウェブページを特定することは、一群のウェブページのなかで最長のコンテンツを持ち、前記それぞれのウェブページのなかで最初の段落でも最後の段落でもない中間の段落を取得すること、又は最初の文でも最後の文でもなく前記一群のウェブページの各ページのなかで最長の文を取得することと、前記各ウェブページについて取得された中間の段落又は最長の文に基づいて、各ウェブページについてのデジタルフィンガプリントを生成することと、前記一群のウェブページのなかから前記同一又はほぼ同一コンテンツを持つ複数のウェブページを特定するために、前記各ウェブページのデジタルフィンガプリントを比較することと、を含む、方法。
適用例５：適用例１に記載の方法であって、前記各ウェブページの作成時間を決定することは、各ウェブページのＵＲＬに含まれる時間にしたがって前記作成時間を決定することを含む、方法。
適用例６：適用例１に記載の方法であって、前記各ウェブページの作成時間を決定することは、各コンテンツタイプのウェブページのなかの時間にしたがって前記作成時間を決定することを含む、方法。
適用例７：適用例１に記載の方法であって、前記各ウェブページの作成時間を決定することは、各ウェブページがクロールされた時間にしたがって前記作成時間を決定することを含む、方法。
適用例８：適用例１に記載の方法であって、前記各ウェブページの作成時間を決定することは、各ウェブページがインデックスに最初に受け入れられた時間にしたがって前記作成時間を決定することを含む、方法。
適用例９：適用例１に記載の方法であって、前記第２の評価値は、前記複数の第１の評価値のどれよりも大きい、方法。
適用例１０：適用例１に記載の方法であって、前記第２の評価値は、前記複数の第１の評価値の和と、第１の重み係数との積に、前記特定されたウェブページの第１の評価値と、第２の重み係数との積を加えたものである、方法。
適用例１１：適用例１０に記載の方法であって、前記第１の重み係数の値と前記第２の重み係数の値は、同一である、方法。
適用例１２：適用例１０に記載の方法であって、前記第１の重み係数の値と前記第２の重み係数の値は、異なる、方法。
適用例１３：適用例１に記載の方法であって、前記複数の第１の評価値の各値は、外部リンクを含むデータにしたがって形成される評価値である、方法。
適用例１４：適用例１に記載の方法であって、更に、クエリをなした後に前記複数のウェブページを取得することと、
前記複数のウェブページのそれぞれについて複数の第２の評価値を決定することと、前記複数の第２の評価値に少なくとも基づいて前記複数のウェブページをランク付けすることと、を備える方法。
適用例１５：適用例１に記載のシステムであって、更に、前記特定されたウェブページの複製回数を表示することを備える方法。
適用例１６：システムであって、１つ又は２つ以上のプロセッサであって、同一又はほぼ同一コンテンツを持つ複数のウェブページを取得するように、前記複数のウェブページのそれぞれに対応する複数の作成時間及び複数の第１の評価値を決定するように、前記複数のウェブページのなかから最も早い作成時間を有するウェブページを特定するように、前記複数の第１の評価値にしたがって、前記特定されたウェブページの第２の評価値を決定するように、構成された１つ又は２つ以上のプロセッサと、前記１つ又は２つ以上のプロセッサに結合され、前記１つ又は２つ以上のプロセッサに命令を提供するように構成された１つ又は２つ以上のメモリと、を備えるシステム。
適用例１７：ウェブページ検索のクエリ結果をランク付けするための方法であって、同一又はほぼ同一コンテンツを持つ複数のウェブページを取得することと、前記複数のウェブページのそれぞれに対応する複数の作成時間を決定することと、前記複数のウェブページのそれぞれに対応する前記複数の作成時間の順に少なくとも部分的に基づいて、前記複数のウェブページをランク付けすることと、を備える方法。
適用例１８：検索エンジンサーバシステムであって、１つ又は２つ以上のプロセッサであって、同一又はほぼ同一コンテンツを持つ複数のウェブページを取得するように、前記複数のウェブページのそれぞれに対応する複数の作成時間を決定するように、前記複数のウェブページのそれぞれに対応する前記複数の作成時間の順に少なくとも基づいて、前記複数のウェブページをランク付けするように構成された１つ又は２つ以上のプロセッサと、前記１つ又は２つ以上のプロセッサに結合され、前記１つ又は２つ以上のプロセッサに命令を提供するように構成された１つ又は２つ以上のメモリと、を備える検索エンジンサーバシステム。